(57)【特許請求の範囲】
【請求項１】
平行な対辺の一つの辺である第一の辺と、この第一の辺に隣接する二つの第二の辺と、上記第一の辺と第二の辺のなす角度が９０度を越える二つの角部をもつ台形の形状を有し、上記第一の辺を下方に向けて上記二つの第二の辺が保持された垂直または垂直に近い状態で、安定に支持されるよう構成されていることを特徴とする表示デバイス用ガラス基板。
【請求項２】
第一の辺と、この第一の辺に隣接する二つの第二の辺と、上記第一の辺と第二の辺のなす角度が９０度を越える二つの角部をもち、上記第一の辺に垂直な中心線に対して線対称な六角形の形状を有し、上記第一の辺を下方に向けて上記二つの第二の辺が保持された垂直または垂直に近い状態で、安定に支持されるよう構成されていることを特徴とする表示デバイス用ガラス基板。
【請求項３】
第一の辺に垂直な中心線に対して線対称であることを特徴とする請求項１記載の表示デバイス用ガラス基板。
【請求項４】
中心に対して点対称な六角形であることを特徴とする請求項２記載の表示デバイス用ガラス基板。
【請求項５】
請求項１〜請求項４のいずれか一項記載の表示デバイス用ガラス基板を第一の辺を下方に向けて第二の辺を保持する保持治具を備えたことを特徴とする表示デバイス用ガラス基板保持装置。
【発明の詳細な説明】
【０００１】
【発明の属する技術分野】
この発明は、液晶表示装置などの表示デバイスに用いられる表示デバイス用ガラス基板及びその保持装置に関するものである。
【０００２】
【従来の技術】
従来、液晶表示装置などの表示デバイスに用いられるガラス基板は、図７に示すような長方形もしくは正方形であった。図７において、１はガラス基板である。
このようなガラス基板１を用いて表示デバイスを形成する工程においては、ガラス基板１を保持、保管及び搬送する形態は水平であり、その状態は図８〜図１０に示すとおりである。図８は、従来のガラス基板を保持する方法を示す図である。図において、２はガラス基板１の端部を支持するガラス基板保持治具、ｂはガラス基板１のたわみ量を示している。
【０００３】
図９は、従来のガラス基板を搬送する方法を示す図である。図において、３はガラス基板搬送治具である。
図１０は、従来のガラス基板を収納する方法を示す図である。図において、４はガラス基板収納治具であるカセットである。
図８に示すように、ガラス基板１を水平にしてその両端を支持すると、ガラス基板１の自重によりガラス基板１がたわむ。一辺が５００ｍｍで厚みが０．７ｍｍのガラス基板１の場合、そのたわみ量ｂは３ｍｍ程度となる。また、図８のような支持方法で表面を薬液処理する際には、中央部分に薬液が溜まるために処理が不均一になる。
【０００４】
また、図９のようにして、ガラス基板１を搬送する際には、ガラス基板１の裏面に直接ガラス基板搬送治具３が接触するため、保持部の材質によっては、ガラス裏面に傷をつけたり、あるいは保持部とガラス基板１の裏面の間に紛れ込んだ異物によって、ガラス基板１の裏面に傷や汚れをつけてしまうことがあった。
また、図１０に示すようなカセット４にガラス基板１を保持する際には、ガラス基板１のたわむ量を考慮して、カセット４のピッチを大きくする必要があった。
【０００５】
【発明が解決しようとする課題】
上述のように、ガラス基板１が長方形であるために、保持、保管及び搬送を、ガラス基板１を水平にして行うために生じるたわみの問題があった。
【０００６】
この発明は上述のような課題を解決するためになされたもので、ガラス基板を垂直または垂直に近い状態に立てて保持、保管及び搬送を行うことが可能な形状の表示デバイス用ガラス基板を得ることを第一の目的としている。
また、このような表示デバイス用ガラス基板を保持する表示デバイス用ガラス基板保持装置を得ることを第二の目的としている。
【０００７】
【課題を解決するための手段】
この発明に係わる表示デバイス用ガラス基板は、平行な対辺の一つの辺である第一の辺と、この第一の辺に隣接する二つの第二の辺と、第一の辺と第二の辺のなす角度が９０度を越える二つの角部をもつ台形の形状を有し、第一の辺を下方に向けて二つの第二の辺が保持された垂直または垂直に近い状態で、安定に支持されるよう構成されているものである。
また、第一の辺と、この第一の辺に隣接する二つの第二の辺と、第一の辺と第二の辺のなす角度が９０度を越える二つの角部をもち、第一の辺に垂直な中心線に対して線対称な六角形の形状を有し、第一の辺を下方に向けて二つの第二の辺が保持された垂直または垂直に近い状態で、安定に支持されるよう構成されているものである。
【０００８】
また、第一の辺に垂直な中心線に対して線対称であるものである。
加えて、中心に対して点対称な六角形に形成されたものである。
また、この発明に係わる表示デバイス用ガラス基板保持装置は、表示デバイス用ガラス基板を第一の辺を下方に向けて第二の辺を保持する保持治具を備えたものである。
【０００９】
【発明の実施の形態】
実施の形態１．
図１は、この発明の実施の形態１によるガラス基板の形状を示す図である。図において、６は台形の形状を有するガラス基板、ａはガラス基板６の斜めの辺である。
図２は、図１のガラス基板を保持する方法を示す図である。図において、７はガラス基板６を保持するガラス基板保持治具である。
図３は、図１のガラス基板を収納する方法を示す図である。図において、８はガラス基板６を収納するカセットである。
図４は、図３に示す方法により収納されたガラス基板を移し替える方法を示す図である。図において、７は図２におけるものと、８は図３におけるものと同一のものである。
【００１０】
実施の形態１は、ガラス基板１を台形にしたもので、台形にすることにより、ガラス基板６の斜めの辺ａの部分でガラス基板６を支えることができ、垂直保持が可能となる。
図２において、ガラス基板保持治具７は、ガラス基板６の斜めの辺ａを掴んで、垂直に保持し、またこの状態で搬送が可能である。
図３は、カセット８にガラス基板６を保管した状態を示し、ガラス基板６を垂直に立てて置くことが可能であるため、カセット８のピッチは狭くてよく、収納効率が上がる。
【００１１】
また図４には、ガラス基板６をカセット８から取り出す際の方法を示している。ここではガラス基板６の高さよりもカセット８の高さを小さくしている。カセット８に収納されたガラス基板６を、ガラス基板保持治具７が、ガラス基板６のカセット８から上に出ている部分を掴んで、カセット８から抜き出す。このようにして台形のガラス基板６は垂直保管、垂直搬送が可能となる。このため辺に対すて厚みの薄いガラス基板でも、安定に表示デバイスを形成することができる。
【００１２】
実施の形態２．
図５、６は、この発明の実施の形態２によるガラス基板の形状を示す図である。図５において、１０は六角形のガラス基板である。図６において、１１はｐ点を中心にして、点対称な形状のガラス基板である。
実施の形態２では、ガラス基板の形状は六角形をしている。さらに図６においては、六角形の中心ｐ点に対して点対称な形状である。これらガラス基板１０、１１の保持、搬送は、実施の形態１の場合と同様でよく、ガラス基板１０、１１の支持は、斜めの辺ａの部分を用いる。さらに図６の場合にはガラス基板１１の中心ｐ点に対し、点対称であるため上下が回転してもガラス基板１１を保持できる特徴がある。
【００１３】
また、実施の形態１及び２において、底辺に対して垂直な線を中心線とする線対称の形状を有するガラス基板を用いれば、ガラス基板が裏返しになっても垂直に立てて保持することができる。
また、ガラス基板は、台形、六角形に限らずｎ角形（ｎ≧４）であればよい。
【００１４】
【発明の効果】
この発明は、以上説明したように構成されているので、以下に示すような効果を奏する。
平行な対辺の一つの辺である第一の辺と、この第一の辺に隣接する二つの第二の辺と、第一の辺と第二の辺のなす角度が９０度を越える二つの角部をもつ台形の形状を有し、第一の辺を下方に向けて二つの第二の辺が保持された垂直または垂直に近い状態で、安定に支持されるよう構成されているので、辺に対して厚みが薄い表示デバイス用ガラス基板でも、たわみが生じることなく安定に表示デバイスを形成することができる。
また、第一の辺と、この第一の辺に隣接する二つの第二の辺と、第一の辺と第二の辺のなす角度が９０度を越える二つの角部をもち、第一の辺に垂直な中心線に対して線対称な六角形の形状を有し、第一の辺を下方に向けて二つの第二の辺が保持された垂直または垂直に近い状態で、安定に支持されるよう構成されているので、辺に対して厚みが薄い表示デバイス用ガラス基板でも、たわみが生じることなく安定に表示デバイスを形成することができる。
【００１５】
また、第一の辺に垂直な中心線に対して線対称であるので、表示デバイス用ガラス基板を裏返しにしても、垂直または垂直に近い状態に立てて保持することができる。
【００１６】
加えて、六角形の中心に対して点対称であるので、表示デバイス用ガラス基板の上下が逆転しても、垂直または垂直に近い状態に立てて保持することができる。
また、この発明に係わる表示デバイス用ガラス基板保持装置は、表示デバイス用ガラス基板を第一の辺を下方に向けて第二の辺を保持する保持治具を備えたので、表示デバイス用ガラス基板を垂直または垂直に近い状態に立てて保持することができ、表示デバイス用ガラス基板の収納効率を上げることができる。
【図面の簡単な説明】
【図１】  この発明の実施の形態１によるガラス基板の形状を示す図である。
【図２】  図１のガラス基板を保持する方法を示す図である。
【図３】  図１のガラス基板を収納する方法を示す図である。
【図４】  図３の方法により収納したガラス基板を移し替える方法を示す図である。
【図５】  この発明の実施の形態２によるガラス基板の形状を示す図である。
【図６】  この発明の実施の形態２によるガラス基板の形状を示す図である。
【図７】  従来のガラス基板の形状を示す図である。
【図８】  従来のガラス基板を保持する方法を示す図である。
【図９】  従来のガラス基板を搬送する方法を示す図である。
【図１０】  従来のガラス基板を収納する方法を示す図である。
【符号の説明】
６，１０，１１  ガラス基板、７  ガラス基板保持治具。
【図１】
0003712816.tif 000002
【図２】
0003712816.tif 000003
【図３】
0003712816.tif 000004
【図４】
0003712816.tif 000005
【図５】
0003712816.tif 000006
【図６】
0003712816.tif 000007
【図７】
0003712816.tif 000008
【図８】
0003712816.tif 000009
【図９】
0003712816.tif 000010
【図１０】
0003712816.tif 000011